(57)【特許請求の範囲】
【請求項１】
隠れ端末を識別する装置であって、
前記装置は、CSMA／CA無線ネットワーク中のアクセスポイントに用いられ、
受信した、前記CSMA／CA無線ネットワーク中のステーションが送信したフレーム時間情報レポートに基づいて、前記フレーム時間情報レポートの測定ウィンドウを確定するための第一確定ユニット；
前記フレーム時間情報レポート中の各フレームのタイミング情報と、予め記憶された、前記測定ウィンドウにおいて受信したフレームのタイミング情報とを比較するための比較ユニットであって、受信した前記フレームは、ステーションにより送信されたものである、比較ユニット；
受信した前記フレームには前記フレーム時間情報レポート中のフレームと衝突する衝突フレームが存在し、且つ、前記衝突フレームを送信した前記ステーションの衝突率が所定の第二閾値よりも大きいときに、前記衝突フレームを送信した前記ステーションが、前記フレーム時間情報レポートを送信した前記ステーションに対しての隠れ端末であると確定するための第二確定ユニット；及び
前記アクセスポイントが、複数のステーションの、同じ測定ウィンドウにおける複数のフレーム時間情報レポートを受信したときに、前記複数のフレーム時間情報レポートのうちの各フレームのタイミング情報を、予め記憶された、前記測定ウィンドウに対応するフレームのタイミング情報に追加するための更新ユニットを含む、装置。
【請求項２】
請求項１に記載の装置であって、
前記第二確定ユニットは、
前記フレーム時間情報レポート中のフレームのタイミング情報、及び、予め記憶された、前記測定ウィンドウに対応するフレームのタイミング情報に基づいて、受信したフレームには前記フレーム時間情報レポート中のフレームと衝突する衝突フレームがあるかを判断するための第一判断モジュールであって、受信した前記フレームは、ステーションにより送信されたものである、第一判断モジュール；
前記第一判断モジュールの判断結果が「はい」のときに、前記衝突フレームを送信した前記ステーションの衝突率が所定の第二閾値よりも大きいかを判断するための第二判断モジュール；及び
前記第二判断モジュールの判断結果が「はい」のときに、前記衝突フレームを送信した前記ステーションが、前記フレーム時間情報レポートを送信した前記ステーションに対しての隠れ端末であると確定するための確定モジュールを含む、装置。
【請求項３】
請求項２に記載の装置であって、
前記第一判断モジュールは、
tj≦Ti≦tj+dj≦Ti+Di、且つ、tj+dj-Ti≧GT；又は
Ti≦tj≦Ti+Di≦tj+dj、且つ、Ti+Di-tj≧GT；又は
tj≦Ti≦Ti+Di≦tj+dj；又は
Ti≦tj≦tj+dj≦Ti+Di
のときに、受信した第i個目のフレームが、前記フレーム時間情報レポート中の第j個目のフレームと衝突すると判断し、
tjは、前記フレーム時間情報レポート中の第j個目のフレームの送信時間であり、Tiは、受信した第i個目のフレームの送信時間であり、djは、前記フレーム時間情報レポート中の第j個目のフレームの持続時間であり、Diは、受信した第i個目のフレームの持続時間であり、GTは、予め設定された保護時間である、装置。
【請求項４】
請求項２に記載の装置であって、
前記衝突率は、前記測定ウィンドウにおいて同一ステーションが送信した衝突フレームの、前記フレーム時間情報レポート中のフレームの総数に対しての比率である、装置。
【請求項５】
請求項１に記載の装置であって、更に、
同期タイミング情報を送信し、これにより、前記同期タイミング情報を受信したステーションが、前記同期タイミング情報に基づいて、前記アクセスポイントと前記測定ウィンドウの同期を行うための送信ユニットを含む、装置。
【請求項６】
請求項５に記載の装置であって
前記送信ユニットは、前記アクセスポイントが送信したビーコンフレームにより前記同期タイミング情報を送信し、又は、前記アクセスポイントが送信した他のシグナリングにいより前記同期タイミング情報を送信する、装置。
【請求項７】
請求項１に記載の装置であって、更に、
受信したフレームのタイミング情報を予め記憶するための記憶ユニットを含み、
前記タイミング情報は、前記フレームの送信時間（start  time）、持続時間、及び送信アドレスを含む、装置。
【請求項８】
CSMA／CA無線ネットワークシステムであって、
ステーション及びアクセスポイントを含み、
前記ステーションは、
測定ウィンドウにおいて受信確認（acknowledgement）を受信していないフレームの比率を統計により取得し；及び
前記比率が所定の第一閾値よりも大きいときに、前記アクセスポイント（AP）にフレーム時間情報レポートを送信し、前記フレーム時間情報レポートは、前記測定ウィンドウの索引、及び、前記測定ウィンドウにおいて送信したフレームのタイミング情報を含み、これにより、前記アクセスポイントは、前記タイミング情報に基づいて、前記ステーションに対しての隠れ端末が存在するかを確定するように構成され、
前記アクセスポイントは、
受信した、前記ステーションが送信したフレーム時間情報レポートに基づいて、前記フレーム時間情報レポートの測定ウィンドウを確定し；
前記フレーム時間情報レポート中の各フレームのタイミング情報と、予め記憶された、前記測定ウィンドウにおいて受信したフレームのタイミング情報とを比較し、受信した前記フレームは、ステーションにより送信されたものであり；及び
受信した前記フレームには前記フレーム時間情報レポート中のフレームと衝突する衝突フレームが存在し、且つ、前記衝突フレームを送信した前記ステーションの衝突率が所定の第二閾値よりも大きいときに、前記衝突フレームを送信した前記ステーションが、前記フレーム時間情報レポートを送信した前記ステーションに対しての隠れ端末であると確定するように構成される、CSMA／CA無線ネットワークシステム。
【発明の詳細な説明】
【技術分野】
【０００１】
本発明は通信技術分野に関し、特に、隠れ端末を識別する方法、装置及びシステムに関する。
【背景技術】
【０００２】
無線ノードが他のノードをリスニング（センシング）することができない時に、隠れ端末問題又は隠れノード問題又は隠れステーション（station）問題が生じることがあり、これにより、媒体アクセス制御、例えば、搬送波感知多重アクセス／衝突回避（CSMA／CA、Carrier  Sense  Multiple  Access  with  Collision  Avoidance）が正常にワーキングすることができなくなるおそれがある。このような状況が発生する時に、複数のノードがそれらのデータを共有媒体により同時に送信することを試みるため、互いの間に信号の干渉を引き起こすことがある。
【０００３】
図1を例とすると、ノードA及びBがすべてアクセスポイントAPの通信範囲内に位置するが、この２つのノードの間は物理的な接続がないため、互いに通信することができない。また、この２つのノードが互いに離れており又は両者の間に障害があるため、相手をリスニングすることでできず、これにより、この２つのノードは相手について言えば隠れノードになる。問題は、この２つのノードがアクセスポイントAPに同時にデータパケットを送信し始める時に、この２つのノードが相手の範囲外に位置するため、データパケットを送信する時に、衝突を検出することができず、CSMA／CD（Carrier  Sense  Multiple  Access  with  Collision  Detection）が作動せず、これにより、衝突が生じ、アクセスポイントAPが受信したデータの品質を悪化させることがあるということである。
【０００４】
多くの無線システムに隠れ端末問題が存在し、これらのシステムでは、一般的に、CSMA／CAメカニズムを用いてチャネルのアクセスを行い、例えば、IEEE  802.11、802.15.4、802.15.6などである。IEEE  802.11は、802.11  RTS／CTS（Request  To  Send／Clear  To  Send）の受信確認（acknowledgment）及びハンドシェークパケットを用いて、隠れ端末問題を部分的に解決したが、RTS／CTSは完全な解決案ではなく、また、ネットワークに大量のオーバーヘッドを取り入れるため、スループットを低減する可能性がある。
【発明の概要】
【発明が解決しようとする課題】
【０００５】
上述の問題を解決するために、本発明の実施例は、隠れ端末を識別する方法、装置及びシステムを提供し、これにより、故障の診断を助け、又は、CSMA／CA無線ネットワークのパフォーマンズ低下の問題を解決することができる。
【課題を解決するための手段】
【０００６】
本発明の第一側面によれば、隠れ端末を識別する装置が提供され、
前記装置は、CSMA／CA無線ネットワーク中のステーションに用いられ、そのうち、前記装置は、
測定ウィンドウ内で受信確認（acknowledgement）を受信していないフレームの比率を統計により得るための統計ユニット；及び
前記比率が予め設定された第一閾値よりも大きい時に、前記CSMA／CA無線ネットワーク中のアクセスポイント（AP）にフレーム時間情報レポートを送信するための送信ユニットであって、前記フレーム時間情報レポートは、前記測定ウィンドウ内で送信したフレームのタイミング情報を含み、これにより、前記APは、前記タイミング情報に基づいて、前記ステーションに対しての隠れ端末が存在するかを確定する、送信ユニットを含む。
【０００７】
また、本発明の第二側面によれば、隠れ端末を識別する装置が提供され、
前記装置はCSMA／CA無線ネットワーク中のアクセスポイントに用いられ、そのうち、前記装置は、
受信した、前記CSMA／CA無線ネットワーク中のステーションの送信したフレーム時間情報レポートに基づいて、前記フレーム時間情報レポートの測定ウィンドウを確定するための第一確定ユニット；
前記フレーム時間情報レポート中の各フレームのタイミング情報と、予め記憶された、前記測定ウィンドウ内で受信したフレームのタイミング情報とを比較するための比較ユニット；及び
受信した前記フレームには前記フレーム時間情報レポート中のフレームと衝突するフレームが存在し、且つ衝突率が第二閾値よりも大きい時に、衝突フレームを送信したステーションが前記ステーションに対しての隠れ端末であると確定するための第二確定ユニットを含む。
【０００８】
本発明の有益な効果は、故障の診断を助け、又は、CSMA／CA無線ネットワークのパフォーマンズ低下の問題を解決することができる。
【図面の簡単な説明】
【０００９】
【図１】隠れ端末問題を示す図である。
【図２】実施例1における隠れ端末を識別する方法のフォローチャートである。
【図３】実施例2における隠れ端末を識別する方法のフォローチャートである。
【図４】識別隠れ端末の一例を示す図である。
【図５】識別隠れ端末の他の例を示す図である。
【図６】実施例3における識別隠れ端末の構成図である。
【図７】実施例4における識別隠れ端末の構成図である。
【図８】実施例5におけるステーションの構成図である。
【図９】実施例6におけるアクセスポイントの構成図である。
【図１０】CSMA／CA無線ネットワークシステムのトポロジー図である。
【発明を実施するための形態】
【００１０】
以下、添付した図面を参照しながら、本発明を実施するための形態を詳細に説明する。
【００１１】
なお、本発明の実施例では、便宜のため、アクセスポイント（AP、Access  Point）を以て、無線ネットワークのインフラストラクチャーを表しており、ステーション（Station）を以て、カバーされる及びサービングされる無線装置を表しており、また、IEEE  802.11中の用語を用いている。当業者が理解すべきは、本発明の実施例はIEEE  802.11に限定されず、他の無線通信システムにも適用され得るということである。
【実施例１】
【００１２】
本実施例は隠れ端末を識別する方法を提供し、該方法はCSMA／CA無線ネットワーク中のステーションに用いられる。図2は該方法のフォローチャートである。図2に示すように、該方法は次のステップを含む。
【００１３】
ステップ201：測定ウィンドウ内で受信確認（acknowledgement）を受信していないフレームの比率を統計により取得し；
ステップ202：前記比率が予め設定された第一閾値よりも大きい場合、前記CSMA／CA無線ネットワーク中のアクセスポイント（AP）にフレーム時間情報レポートを送信し、前記フレーム時間情報レポートは、前記測定ウィンドウ内で送信したフレームのタイミング情報を含み、これにより、前記APは、前記タイミング情報に基づいて、前記ステーションに対しての隠れ端末が存在するかを確定する。
【００１４】
本実施例では、ステーションが送信した各フレームについて、該ステーションは、１つの受信確認（acknowledgement）を受信することができる。該ステーションが送信した１つのフレームについて、該ステーションがその受信確認を受信していない場合、リンク故障が発生している可能性があり、又は、ステーション故障が発生している可能性があり、又は、上述のような隠れ端末問題が発生している可能性がある。
【００１５】
ステップ201では、該ステーションは、測定ウィンドウ内で受信確認を受信していないフレームの比率を統計により得ることができ、例えば、ある測定ウィンドウ内で該ステーションが送信したフレームの数量がAであり、その受信確認を受信しているフレームの数量がBであれば、該ステーションは、該測定ウィンドウ内でその受信確認を受信していないフレームの比率が(A-B)／Aであると統計により確定することができる。理想の場合、該比率は0であり、即ち、該ステーションが送信した全てのフレームについて、その受信確認を受信している。
【００１６】
そのうち、各測定ウィンドウは１つの時間期間に対応し、ウィンドウ索引（Index）、或いは、ウィンドウ開始時間及び持続時間を該測定ウィンドウの標識とする。
【００１７】
ステップ202では、該ステーションは、ステップ201で得られた比率と、予め設定された閾値（本実施例では、便宜のため、第一閾値と称する）とを比較し、該比率が該第一閾値よりも大きければ、該ステーションは、アクセスポイントに、フレーム時間情報レポートを送信し、該フレーム時間情報レポートは、該測定ウィンドウ内で送信したフレームのタイミング情報を含む。
【００１８】
そのうち、該測定ウィンドウ内で送信したフレームは、該ステーションが該測定ウィンドウ内で送信した全てのフレーム、即ち、前述のA個のフレームであっても良く；又は、該ステーションが該測定ウィンドウ内で送信した、その受信確認を受信していないフレーム、即ち、前述のA-B個のフレームであっても良い。
【００１９】
そのうち、該フレームのタイミング情報は、該フレームの送信時間（start  time）及び持続時間（duration）を含んでも良い。オプションで、該持続時間は、フレーム長さ及びデータレートにより置換されても良く、即ち、フレーム長さ及びデータレートによりその持続時間を算出することもできる。
【００２０】
そのうち、該フレーム時間情報レポートには、該測定ウィンドウを指示するための情報が含まれても良く、例えば、上述の該測定ウィンドウの索引、又は、該測定ウィンドウの開始時間及び持続長さ、又は、該測定ウィンドウを指示するための他の情報が含まれても良い。
【００２１】
そのうち、アクセスポイントAPは、該フレーム時間情報レポートを受信した後に、上述のタイミング情報に基づいて、該ステーションに対しての隠れ端末が存在するかを確定することができ、具体的には、以下の実施例で説明する。
【００２２】
本実施例では、アクセスポイント及びステーションの同期を実現するために、アクセスポイントは更に同期タイミング情報を送信しても良く、これにより、該同期タイミング情報を受信したステーションは、該同期タイミング情報に基づいて、該アクセスポイントと測定ウィンドウの同期を行うことができ、この場合、本実施例の方法は更に次のステップを含み、即ち、
ステップ200：アクセスポイントが送信した同期タイミング情報を受信し、前記同期タイミング情報に基づいて、前記アクセスポイントと測定ウィンドウの同期を行う。
【００２３】
そのうち、前述のように、測定ウィンドウは、測定開始時間及び周期により指示されても良く、ウィンドウ索引により指示されても良く、この場合、ステップ200では、ステーションは、該同期タイミング情報に基づいて、アクセスポイントと測定開始時間及び周期の同期を行っても良く、該同期タイミング情報に基づいて、アクセスポイントとウィンドウ索引の同期を行てっても良い。同期以降、アクセスポイントは、ステーションが送信したフレーム時間情報レポートを受信した後に、該フレーム時間情報レポートに対応する測定ウィンドウがどんなものであるかを把握することができ、これにより、該フレーム時間情報レポートに基づいて、該ステーションに対しての隠れ端末が存在するかを確定することができる。
【００２４】
そのうち、該同期タイミング情報は、アクセスポイントが送信したビーコン（beacon）フレームにより搬送されても良く、又は、アクセスポイントが送信した他のシグナリングにより搬送されても良い。
【００２５】
本実施例の方法によれば分かるように、ステーションがアクセスポイントにフレーム時間情報レポートを送信することで、故障の診断を助け、又は、CSMA／CA無線ネットワークのパフォーマンズ低下の問題を解決することができる。
【実施例２】
【００２６】
本実施例は隠れ端末を識別する方法を更に提供し、該方法は、CSMA／CA無線ネットワーク中のアクセスポイントに用いられ、実施例1の方法に対応するアクセスポイント側の処理であり、そのうち、実施例1と同じ内容の説明は省略される。図3は該方法のフォローチャートであり、図3に示すように、該方法は次のステップを含む。
【００２７】
ステップ301：受信した、前記CSMA／CA無線ネットワーク中のステーションが送信したフレーム時間情報レポートに基づいて、前記フレーム時間情報レポートの測定ウィンドウを確定し；
ステップ302：前記フレーム時間情報レポート中の各フレームのタイミング情報と、予め記憶された、前記測定ウィンドウ内で受信したフレームのタイミング情報とを比較し；
ステップ303：上述の受信したフレームには前記フレーム時間情報レポート中のフレームと衝突するフレームが存在し、且つ衝突率が所定の第二閾値より大きい場合、衝突フレームを送信したステーションが前記ステーションに対しての隠れ端末であると確定する。
【００２８】
本実施例では、実施例1のように、該フレーム時間情報レポートは、測定ウィンドウ内で送信されたフレームのタイミング情報を含み、測定ウィンドウ内で送信された全てのフレームのタイミング情報であっても良く、測定ウィンドウ内で送信された、受信確認が受信されていないフレームのタイミング情報であっても良く、また、該フレームのタイミング情報は、フレームの送信時間及び持続時間を含んでも良く、具体的には実施例1と同様であるため、ここでは詳しい説明を省略する。
【００２９】
ステップ301では、前述のように、該アクセスポイントは、ステーションに同期タイミング情報を送信することで、ステーションとの同期を取ることができ、これにより、該フレーム時間情報レポートに基づいて、それに対応する測定ウィンドウを確定することができ、例えば、同期以後、該フレーム時間情報レポートに含まれているフレームのタイミング情報に基づいて、アクセスポイントは、該フレームがどの測定ウィンドウ内に位置するかを確定することができ、これにより、該フレーム時間情報レポートに対応する測定ウィンドウを確定することができる。また、該アクセスポイントは、該フレーム時間情報レポート中の測定ウィンドウ指示用の情報を用いて、該フレーム時間情報レポートに対応する測定ウィンドウを確定することもでき、例えば、測定ウィンドウ指示用の情報が該測定ウィンドウの索引である場合、該アクセスポイントは、該測定ウィンドウの索引に基づいて、該フレーム時間情報レポートに対応する測定ウィンドウを確定することができ、また、例えば、測定ウィンドウ指示用の情報が該測定ウィンドウの開始時間及び長さである場合、該アクセスポイントは、これらの情報に基づいて、該フレーム時間情報レポートに対応する測定ウィンドウを確定することもできる。
【００３０】
本実施例では、アクセスポイントは、所定期間において受信した又はリスニングしたフレームのタイミング情報を予め記憶し、また、その記憶したフレームのタイミング情報を定期的に更新又はリリースすることができる。該フレームのタイミング情報は、フレームの送信時間、持続時間及び送信アドレスを含んでも良い。そのうち、送信時間及び持続時間の意味は、ステーションが送信するフレーム時間情報レポート中のフレームのタイミング情報と同じであるが、送信アドレスとは、該フレームを送信するステーションのアドレスを指す。例えば、該アクセスポイントが予め10秒間のフレームのタイミング情報を記憶し、該10秒内では、アクセスポイントは、３つのステーションSTA1、STA2及びSTA3が送信する４つのフレーム、即ち、STA1が送信する１つのフレームA、STA2が送信する２つのフレームB及びC、並びにSTA3が送信する１つのフレームDを受信する又はリスニングするとすると、該アクセスポイントが記憶しているフレームのタイミング情報は、それぞれ、Aの送信時間及び持続時間並びにSTA1のアドレス、B及びCの各々の送信時間及び持続時間並びにSTA2のアドレス、Dの送信時間及び持続時間並びにSTA3のアドレスである。
【００３１】
ステップ302では、フレーム時間情報レポート中の各フレームのタイミング情報、及び、予め記憶された、該フレーム時間情報レポートに対応する測定ウィンドウの各フレームのタイミング情報があれば、アクセスポイントは両者を比較することで、受信したフレームにはフレーム時間情報中のフレームと衝突するフレームが存在するかを確定することができる。
【００３２】
ステップ303では、受信したフレームにはフレーム時間情報レポート中のフレームと衝突するフレームが存在し、且つ、衝突率が１つの閾値（本実施例では、第二閾値と称する）よりも大きければ、衝突フレームを送信したステーションが、上述のフレーム時間情報レポートを送信したステーションに対しての隠れ端末であると確定する。
【００３３】
本実施例では、フレーム時間情報レポート中のフレームのタイミング情報、及び、記憶されたフレームのタイミング情報に基づいて、受信したフレームにはフレーム時間情報レポート中のフレームと衝突するフレーム（衝突フレームとも言う）が存在するかを確定することができる。そのうち、以下の任意の１つの条件を満足すれば、受信したフレームが前記フレーム時間情報レポート中のフレームと衝突すると確定する。
【００３４】
条件一：tj≦Ti≦tj+dj≦Ti+Di、且つ、tj+dj-Ti≧GTであり、即ち、受信した第i個目のフレームが、フレーム時間情報レポート中の第j個目のフレームに対して時間上で後ろに在るが、両者が一部重なり合い、且つ、重なり合う部分が保護時間よりも大きい。
【００３５】
条件二：Ti≦tj≦Ti+Di≦tj+dj、且つ、Ti+Di-tj≧GTであり、即ち、受信した第i個目のフレームが、フレーム時間情報レポート中の第j個目のフレームに対して時間上で前に在るが、両者が一部重なり合い、且つ、重なり合う部分が保護時間よりも大きい。
【００３６】
条件三：tj≦Ti≦Ti+Di≦tj+djであり、即ち、受信した第i個目のフレームが完全にフレーム時間情報レポート中の第j個目のフレームにより覆われる。
【００３７】
条件四：Ti≦tj≦tj+dj≦Ti+Diであり、即ち、フレーム時間情報レポート中の第j個目のフレームが完全に受信した第i個目のフレームにより覆われる。
【００３８】
そのうち、tjは、フレーム時間情報レポート中の第j個目のフレームの送信時間であり、Tiは、受信した第i個目のフレームの送信時間であり、djは、フレーム時間情報レポート中の第j個目のフレームの持続時間であり、Diは、受信した第i個目のフレームの持続時間であり、GTは、予め設定された保護時間である。
【００３９】
図4は、記憶されたフレームのタイミング情報と、フレーム時間情報レポート中のフレームのタイミング情報とを比較する一例を示す図である。図4に示すように、該例では、フレーム時間情報レポートを送信するステーションがSTA1であり、該フレーム時間情報レポートに対応する測定ウィンドウがwであり、該フレーム時間情報レポート中で該測定ウィンドウwに対応する３つのフレームSTA1-1、STA1-2及びSTA1-3のタイミング情報があり；アクセスポイントが予め該測定ウィンドウwに対応する４つのフレームのタイミング情報を記憶しており、この４つのフレームがそれぞれSTA-1、STA-2、STA-3及びSTA-4であり、そのうち、STA-1及びSTA-4がSTA2により送信されたものであり、STA-2がSTA1により送信されたものであり、STA-3がSTA3により送信されたものであるとする。
【００４０】
図4に示すように、STA1-1及びSTA-1を見ると、両者が時間上で一部重なり合い、t1＜T1＜t1+d1＜T1+D1を満足し、且つ、重なり合う部分が保護時間よりも大きく、t1+d1-T1＞GTを満足するので、上述の条件一を満足し、この場合、STA-1がSTA1-1の衝突フレームであると確定することができる。
【００４１】
図4に示すように、STA1-2及びSTA-2を見ると、両者が時間上で完全に重なり合るが、STA1-2及びSTA-2がともにSTA1により送信されたものであるので、即ち、該ステーションSTA1自分が送信したフレームが自分に対して衝突になれないので、STA-2を考慮する必要がない。
【００４２】
図4に示すように、STA1-3及びSTA-3を見ると、両者が時間上で一部重なり合い、T3＜t3＜T3+D3＜t3+d3を満足するが、重なり合う部分が保護時間以下であり、即ち、T3+D3-t3≦GTであるので、条件二を満足せず、他の３つの条件も満足しない。この場合、STA-3は、STA1-3の衝突フレームではない。
【００４３】
図4に示すように、STA1-3及びSTA-4を見ると、両者が時間上で一部重なり合り、t3＜T4＜t3+d3＜T4+D4を満足し、且つ、重なり合う部分が保護時間よりも大きく、即ち、t3+d3-T4＞GTであるので、上述の条件一を満足し、この場合、STA-4がSTA1-3の衝突フレームであると確定することができる。
【００４４】
図4に示す例では、上述の判断により、受信したフレームにはフレーム時間情報レポート中のフレームと衝突するフレーム、即ち、STA-1及びSTA-4があると判断しており、この場合、本実施例では、衝突率が第二閾値よりも大きければ、上述の衝突フレームSTA-1及びSTA-4を送信したステーションSTA2がSTA1の隠れ端末であると確定することができる。そのうち、衝突率とは、測定ウィンドウ内で同一ステーションが送信した衝突フレームの、前記フレーム時間情報レポート中のフレームの総数に対しての比率を指す。図4に示す例では、衝突フレームがトータルで２つあり、フレーム時間情報レポート中のフレームが３つある。第二閾値が50%であれば、2／3＞50%のため、衝突率が第二閾値よりも大きく、STA2がSTA1の隠れ端末であると判断することができる。これにより、隠れ端末を識別することができる。
【００４５】
本実施例では、上述の判定条件は例示に過ぎず、フレームのタイミング情報を利用する他の判定条件及び方法もすべて本発明の保護範囲に属する。
【００４６】
本実施例では、実施例1に対応して、アクセスポイント及びステーションの同期を実現するために、該方法は更に次のステップを含んでも良く、即ち、
ステップ300：同期タイミング情報を送信し、これにより、前記同期タイミング情報を受信したステーションが、前記同期タイミング情報に基づいて、前記アクセスポイントと測定ウィンドウの同期を行う。
【００４７】
同様に、測定ウィンドウの同期を行うこととは、測定ウィンドウの開始時間及び周期の同期を行うこと、又は、測定ウィンドウのウィンドウ索引の同期を行うことを指し、また、該同期タイミング情報は、アクセスポイントが送信したビーコンフレームにより搬送されても良く、アクセスポイントが送信した他のシグナリングにより搬送されても良い。
【００４８】
本実施例では、複数のステーションがアクセスポイントにフレーム時間情報レポートを送信し、且つ、異なるステーションが送信したフレーム時間情報レポートが、同じ測定ウィンドウに対応するものであれば、該アクセスポイントは、これらのフレーム時間情報レポート中の各フレームのタイミング情報を、その予め記憶した上述の測定ウィンドウに対応するフレームのタイミング情報に追加することができる。図5に示すように、アクセスポイントが、STA1及びSTA2の測定ウィンドウwに対応するフレーム時間情報レポートを受信した場合、アクセスポイントは、STA1のフレーム時間情報レポート中のSTA1-1、STA1-2、STA1-3のタイミング情報、及び、STA2のフレーム時間情報レポート中のSTA2-1、STA2-2、STA2-3のタイミング情報を記憶し、前もって記憶したフレームのタイミング情報と一緒に参考とし、これにより、衝突フレームが存在するかを判断し、そして、これにより、STA1の隠れ端末及びSTA2の隠れ端末が存在するかを識別することができる。図5の例では、最終的に、STA1がSTA2の隠れ端末であると判断すると同時に、STA2もSTA1の隠れ端末であると判断する。なお、判定の方法は上述と同様であるため、ここでは詳しい説明を省略する。
【００４９】
本実施例の方法によれば分かるように、フレーム時間情報レポート中のフレームのタイミング情報と、受信したフレームのタイミング情報とを比較し、衝突フレームが存在するかを判断することで、隠れ端末の存在を識別することができ、これにより、故障の診断を助け又はCSMA／CA無線ネットワークのパフォーマンズ低下の問題を解決することができる。
【実施例３】
【００５０】
本実施例は更に隠れ端末を識別する装置を提供し、該装置はCSMA／CA無線ネットワーク中のステーションに用いられる。該装置が問題を解決する原理は実施例1の方法と同様であるため、その具体的な実施は実施例1の方法の実施を参照することができ、また、内容が同じである記載は省略される。
【００５１】
図6は本実施例の隠れ端末を識別する装置の構成図であり、図6に示すように、該装置600は統計ユニット601及び送信ユニット602を含む。
【００５２】
統計ユニット601：測定ウィンドウ内で受信確認（acknowledgement）を受信していないフレームの比率を統計により取得し；
送信ユニット602：前記比率が予め設定された第一閾値よりも大きい時に、前記CSMA／CA無線ネットワーク中のアクセスポイント（AP）にフレーム時間情報レポートを送信し、前記フレーム時間情報レポートは、前記測定ウィンドウ内で送信したフレームのタイミング情報を含み、これにより、前記APは、前記タイミング情報に基づいて、前記ステーションに対しての隠れ端末が存在するかを確定する。
【００５３】
そのうち、前記測定ウィンドウ内で送信したフレームは、前記測定ウィンドウ内で送信した全てのフレームであり、又は、前記測定ウィンドウ内で送信した、受信確認を受信していないフレームである。
【００５４】
そのうち、前記フレームのタイミング情報は、前記フレームの送信時間及び持続時間を含む。
【００５５】
１つの実施方式では、該装置は更に次のものを含んでも良く、即ち、
受信ユニット603：前記アクセスポイントが送信した同期タイミング情報を受信し；
同期ユニット604：前記同期タイミング情報に基づいて、前記アクセスポイントと測定ウィンドウの同期を行う。
【００５６】
そのうち、同期ユニット604は、アクセスポイントと測定開始時間及び周期の同期を行っても良く、アクセスポイントとウィンドウ索引の同期を行っても良く、これにより、測定ウィンドウの同期を行うことができる。
【００５７】
そのうち、該同期タイミング情報は、前記アクセスポイントが送信したビーコンフレームにより搬送されても良く、前記アクセスポイントが送信した他のシグナリングにより搬送されても良い。
【００５８】
そのうち、該フレーム時間情報レポートは更に、上述の測定ウィンドウを指示するための情報を含んでも良く、例えば、上述の測定ウィンドウの開始時間及び周期、又は、上述測定ウィンドウのウィンドウ索引などを含んでも良い。
【００５９】
本実施例の装置によれば分かるように、アクセスポイントにフレーム時間情報レポートを送信することで、故障の診断を助け又はCSMA／CA無線ネットワークのパフォーマンズ低下の問題を解決することができる。
【実施例４】
【００６０】
本実施例は更に隠れ端末を識別する装置を提供し、該装置はCSMA／CA無線ネットワーク中のアクセスポイントに用いられる。該装置が問題を解決する原理は実施例2の方法と同様であるため、その具体的な実施は実施例2の方法の実施を参照することができ、内容が同じである記載は省略される。
【００６１】
図7は本実施例の隠れ端末を識別する装置の構成図であり、図7に示すように、該装置700は第一確定ユニット701、比較ユニット702及び第二確定ユニット703を含む。
【００６２】
第一確定ユニット701：受信した、前記CSMA／CA無線ネットワーク中のステーションが送信したフレーム時間情報レポートに基づいて、前記フレーム時間情報レポートの測定ウィンドウを確定する。
【００６３】
比較ユニット702：前記フレーム時間情報レポート中の各フレームのタイミング情報と、予め記憶された、前記測定ウィンドウ内で受信したフレームのタイミング情報とを比較する。
【００６４】
第二確定ユニット703：上述の受信したフレームには前記フレーム時間情報レポート中のフレームと衝突するフレームが有り、且つ衝突率が第二閾値よりも大きい時に、衝突フレームを送信したステーションが前記ステーションに対しての隠れ端末であると確定する。
【００６５】
そのうち、第二確定ユニット703は更に次のものを含み、即ち、
第一判断モジュール7031：フレーム時間情報レポート中のフレームのタイミング情報、及び、予め記憶された、上述の測定ウィンドウに対応するフレームのタイミング情報に基づいて、受信したフレームがフレーム時間情報レポート中のフレームと衝突するかを判断し；
第二判断モジュール7032：第一判断モジュール7031の判断結果が「はい」の時に、衝突率が第二閾値よりも高いかを判断し；
確定モジュール7033：第二判断モジュール7032の判断結果が「はい」の時に、衝突フレームを送信したステーションが、フレーム時間情報レポートを送信したステーションに対しての隠れ端末であると確定する。
【００６６】
そのうち、第一判断モジュール7031（第二確定ユニット703）は、tj≦Ti≦tj+dj≦Ti+Di、且つ、tj+dj-Ti≧GT；又は、Ti≦tj≦Ti+Di≦tj+dj、且つ、Ti+Di-tj≧GT；又は、tj≦Ti≦Ti+Di≦tj+dj；又は、Ti≦tj≦tj+dj≦Ti+Diの時に、受信したフレームが前記フレーム時間情報レポート中のフレームと衝突すると確定する。そのうち、tjは、フレーム時間情報レポート中の第j個目のフレームの送信時間であり、Tiは、受信した第i個目のフレームの送信時間であり、djは、フレーム時間情報レポート中の第j個目のフレームの持続時間であり、Diは、受信した第i個目のフレームの持続時間であり、GTは、予め設定された保護時間である。
【００６７】
そのうち、衝突率とは、前記測定ウィンドウ内で同一ステーションが送信した衝突フレームの、前記フレーム時間情報レポート中のフレームの総数に対しての比率を指す。
【００６８】
本実施例では、該装置700は更に次のものを含んでも良く、即ち、
送信ユニット704：同期タイミング情報を送信し、これにより、前記同期タイミング情報を受信したステーションは、前記同期タイミング情報に基づいて、前記アクセスポイントと測定ウィンドウの同期を行い、即ち、測定開始時間及び周期の同期、或いは、ウィンドウ索引の同期を行う。そのうち、該送信ユニット704は、前記アクセスポイントが送信したビーコンフレームにより前記同期タイミング情報を送信しても良く、前記アクセスポイントが送信した他のシグナリングにより前記同期タイミング情報を送信しても良い。
【００６９】
本実施例では、該装置700は更に次のものを含んでも良く、即ち、
記憶ユニット705：予め所定期間において受信したフレームのタイミング情報を記憶し、前記タイミング情報は、前記フレームの送信時間（start  time）、持続時間、及び送信アドレスを含んでも良い。オプションで、該記憶ユニット705は更にその記憶したフレームのタイミング情報を更新又はリリースすることで、その記憶したフレームのタイミング情報が常に最新なものであるように保証することもできる。
【００７０】
本実施例では、該装置700は更に次のものを含んでも良く、即ち、
更新ユニット706：前記アクセスポイントが、複数のステーションからの同じ測定ウィンドウ内でのフレーム時間情報レポートを受信した時に、これらのフレーム時間情報レポート中の各フレームのタイミング情報を、予め記憶された前記測定ウィンドウに対応するフレームのタイミング情報に追加し、これにより、フレーム時間情報レポートを送信したステーションに対しての隠れ端末があるかを判断する。
【００７１】
本実施例の装置によれば分かるように、フレーム時間情報レポート中のフレームのタイミング情報と、受信したフレームのタイミング情報とを比較し、衝突フレームの存在を判断することで、隠れ端末の存在を識別することができ、これにより、故障の診断を助け又はCSMA／CA無線ネットワークのパフォーマンズ低下の問題を解決することができる。
【実施例５】
【００７２】
本発明の実施例は更にCSMA／CA無線ネットワーク中のステーションを提供し、そのうち、該ステーションは実施例3に記載の隠れ端末を識別する装置を含む。
【００７３】
図8は該ステーションの構成図であり、図8に示すように、該ステーション800は中央処理装置801及び記憶器802を含んでも良く；記憶器802は中央処理装置801に結合される。なお、該図は例示に過ぎず、言い換えると、他の類型の結構を用いて該構造に対して補充又は代替を行うことで、電気通信機能又は他の機能を実現することもできる。
【００７４】
１つの実施方式では、隠れ端末を識別する装置の機能は中央処理装置801に集積することができ、即ち、中央処理装置801により、実施例3に記載の隠れ端末を識別する装置の機能を実現しても良く、そのうち、隠れ端末を識別する装置の機能はここに合併されるため、ここでは詳しい説明を省略する。
【００７５】
もう１つの実施方式では、隠れ端末を識別する装置は中央処理装置801と別々で配置されても良く、例えば、隠れ端末を識別する装置を、中央処理装置801に接続されるチップとして構成されても良く、この場合、中央処理装置801の制御により、隠れ端末を識別する装置の機能を実現することができる。
【００７６】
図8に示すように、該ステーション800は更に通信モジュール803、入力ユニット804、音声処理ユニット805、表示器806、電源807を含んでも良い。なお、ステーション800は必ずしも図8に示す全ての部品を含む必要がなく、また、ステーション800は更に図8に示していない他の部品を含んでも良く、これについては従来技術を参照することができる。
【００７７】
図8に示すように、中央処理装置801は制御器又は操作コントローラと称される場合もあり、マイクロプロセッサー又は他の処理器装置及び／又は論理装置を含んでも良く、該中央処理装置801は入力を受信してステーション800の各部品の操作を制御することができる。
【００７８】
そのうち、記憶器802は、例えば、バッファ、フラッシュメモリ、HDD、移動可能な媒体、揮発性記憶器、不揮発性記憶器又は他の適切な装置のうちの一つ又は複数であっても良い。上述の構成に関する情報を記憶し、上述の記憶ユニットの機能を実現することができ、また、関連情報を実行するためのプログラムを記憶しても良い。また、中央処理装置801は、該記憶器802に記憶されている該プログラムを実行し、情報の記憶又は処理などを実現することもできる。他の部品の機能は従来と同様であるため、ここでは詳しい説明を省略する。また、ステーション800の各部品は、専用ハードウェア、ファームウェア、ソフトウェア又はその組み合わせにより実現することもでき、これらのすべては、本発明の範囲に属する。
【００７９】
本実施例のステーションによれば分かるように、アクセスポイントにフレーム時間情報レポートを送信することで、故障の診断を助け又はCSMA／CA無線ネットワークのパフォーマンズ低下の問題を解決することができる。
【実施例６】
【００８０】
本実施例は更にCSMA／CA無線ネットワーク中のアクセスポイントを提供し、そのうち、該アクセスポイントは実施例4に記載の隠れ端末を識別する装置を含む。
【００８１】
図9は本実施例のアクセスポイントの１つの実施方式の構成図である。図9に示すように、アクセスポイント900は中央処理装置（CPU）901及び記憶器902を含んでも良く；記憶器902は中央処理装置901に結合される。そのうち、該記憶器902は各種のデータを記憶しても良く；また、情報処理用のプログラムを記憶することもできる。中央処理装置901の制御下で該プログラムを実行することで、ステーションが送信した各種の情報を受信し、また、ステーションに各種の情報を送信することができる。
【００８２】
１つの実施方式では、隠れ端末を識別する装置の機能は中央処理装置901に集積することができ、この場合、中央処理装置901は、実施例4に記載の隠れ端末を識別する装置の機能を実現し、そのうち、隠れ端末を識別する装置の機能はここに合併されるので、ここではその詳しい説明を省略する。
【００８３】
もう１つの実施方式では、隠れ端末を識別する装置は中央処理装置901と別々で配置されても良く、例えば、隠れ端末を識別する装置を、中央処理装置901に接続されるチップとして構成しても良く、この場合、中央処理装置901の制御により、隠れ端末を識別する装置の機能を実現することができる。
【００８４】
また、図9に示すように、アクセスポイント900は更に、送受信機903及びアンテナ904などを含んでも良く；そのうち、上述の部品の機能は従来技術と同様であるため、ここでは詳しい説明を省略する。なお、アクセスポイント900は必ずしも図9に示す全ての部品を有する必要がなく、また、アクセスポイント900は更に図9に示していない部品を含んでも良く、これについては従来技術を参照することができる。
【００８５】
本実施例のアクセスポイントによれば分かるように、フレーム時間情報レポート中のフレームのタイミング情報と、受信したフレームのタイミング情報とを比較し、衝突フレームが存在するかを判断することで、隠れ端末が存在するかを識別することができ、これにより、故障の診断を助け又はCSMA／CA無線ネットワークのパフォーマンズ低下の問題を解決することができる。
【実施例７】
【００８６】
本実施例は更にCSMA／CA無線ネットワークシステムを提供し、図10は該システムのトポロジー構造図であり、図10に示すように、該システム1000はステーション1001及びアクセスポイント1002を含む。
【００８７】
そのうち、ステーション1001は次のように構成され、即ち、
測定ウィンドウ内で受信確認（acknowledgement）を受信していないフレームの比率を統計により取得し；
前記比率が予め設定された第一閾値よりも大きい場合、前記アクセスポイント（AP）にフレーム時間情報レポートを送信し、前記フレーム時間情報レポートは、前記測定ウィンドウの索引、及び、前記測定ウィンドウ内で送信したフレームのタイミング情報を含み、これにより、前記アクセスポイントは前記タイミング情報に基づいて、前記ステーションに対しての隠れ端末があるかを確定する。
【００８８】
そのうち、該ステーション1001は、実施例5のステーションにより実現することができ、また、その内容はここに合併されるため、ここでは詳しい説明を省略する。
【００８９】
そのうち、アクセスポイント1002は次のように構成され、即ち、
受信した前記ステーションの送信したフレーム時間情報レポートに基づいて、前記フレーム時間情報レポートの測定ウィンドウを確定し；
前記フレーム時間情報レポート中の各フレームのタイミング情報と、予め記憶された、前記測定ウィンドウ内で受信したフレームのタイミング情報とを比較し；
上述の受信したフレームには前記フレーム時間情報レポート中のフレームと衝突するフレームが有り、且つ、衝突率が第二閾値よりも大きい場合、衝突フレームを送信したステーションは前記ステーションに対しての隠れ端末であると確定する。
【００９０】
そのうち、該アクセスポイント1002は、実施例6のアクセスポイントにより実現することができ、また、その内容はここに合併されるため、ここでは詳しい説明を省略する。
【００９１】
本実施例のシステムにより、故障の診断を助け又はCSMA／CA無線ネットワークのパフォーマンズ低下の問題を解決することができる。
【００９２】
本発明の実施例は更にコンピュータ可読プログラムを提供し、そのうち、CSMA／CA無線ネットワークのステーション中で前記プログラムを実行する時に、前記プログラムは、コンピュータに、前記CSMA／CA無線ネットワークのステーション中で実施例1に記載の方法を実行させる。
【００９３】
本発明の実施例は更にコンピュータ可読プログラムを記憶した記憶媒体を提供し、そのうち、前記コンピュータ可読プログラムは、コンピュータに、CSMA／CA無線ネットワークのステーション中で実施例1に記載の方法を実行させる。
【００９４】
本発明の実施例は更にコンピュータ可読プログラムを提供し、そのうち、CSMA／CA無線ネットワークのアクセスポイント中で前記プログラムを実行する時に、前記プログラムは、コンピュータに、前記CSMA／CA無線ネットワークのアクセスポイント中で実施例2に記載の方法を実行させる。
【００９５】
本発明の実施例は更にコンピュータ可読プログラムを記憶した記憶媒体を提供し、そのうち、前記コンピュータ可読プログラムは、コンピュータに、CSMA／CA無線ネットワークのアクセスポイント中で実施例2に記載の方法を実行させる。
【００９６】
また、本発明の実施例による装置及び方法などは、ソフトウェアにより実現されても良く、ハードウェアにより実現されてもよく、ハードウェア及びソフトウェアの組み合わせにより実現されても良い。また、本発明はこのようなコンピュータ可読プログラムにも関し、即ち、前記プログラムは、ロジック部品により実行されるときに、前記ロジック部品に、上述の装置又は構成要素を実現させることができ、又は、前記ロジック部品に、上述の方法又はそのステップを実現させることもできる。さらに、本発明は上述のプログラムを記憶するための記憶媒体、例えば、ハードディスク、磁気ディスク、光ディスク、DVD、フラッシュメモリにも関する。
【００９７】
また、以上の実施例の実施方式に関し、更に以下の付記を開示する。
【００９８】
（付記1）
隠れ端末を識別する装置であって、
前記装置はCSMA／CA無線ネットワーク中のステーションに用いられ、
測定ウィンドウ内で受信確認（acknowledgement）を受信していないフレームの比率を統計により得るための統計ユニット；及び
前記比率が予め設定された第一閾値よりも大きい時に、前記CSMA／CA無線ネットワーク中のアクセスポイント（AP）にフレーム時間情報レポートを送信するための送信ユニットであって、前記フレーム時間情報レポートは、前記測定ウィンドウ内で送信したフレームのタイミング情報を含み、これにより、前記APは、前記タイミング情報に基づいて、前記ステーションに対しての隠れ端末が存在するかを確定する、送信ユニットを含む、装置。
【００９９】
（付記2）
付記1に記載の装置であって、
前記測定ウィンドウ内で送信したフレームは、
前記測定ウィンドウ内で送信した全てのフレーム、又は
前記測定ウィンドウ内で送信した、受信確認を受信していないフレームである、装置。
【０１００】
（付記3）
付記1に記載の装置であって、
前記フレームのタイミング情報は、前記フレームの送信時間（start  time）及び持続時間（duration）を含む、装置。
【０１０１】
（付記4）
付記1に記載の装置であって、更に、
前記アクセスポイントが送信した同期タイミング情報を受信するための受信ユニット；及び
前記同期タイミング情報に基づいて、前記アクセスポイントと測定ウィンドウの同期を行うための同期ユニットを含む、装置。
【０１０２】
（付記5）
付記4に記載の装置であって、
前記同期ユニットは、測定開始時間及び周期の同期、或いは、ウィンドウ索引の同期を行う、装置。
【０１０３】
（付記6）
付記4に記載の装置であって、
前記同期タイミング情報は、前記アクセスポイントが送信したビーコンフレームにより搬送され、又は、前記アクセスポイントが送信した他のシグナリングにより搬送される、装置。
【０１０４】
（付記7）
付記1に記載の装置であって、
前記フレーム時間情報レポートは、前記測定ウィンドウを指示するための情報を更に含む、装置。
【０１０５】
（付記8）
付記7に記載の装置であって、
前記測定ウィンドウを指示するための情報は、前記ウィンドウの開始時間及び周期であり、又は、前記測定ウィンドウの索引である、装置。
【０１０６】
（付記9）
隠れ端末を識別する装置であって、
前記装置は、CSMA／CA無線ネットワーク中のアクセスポイントに用いられ、
受信した、前記CSMA／CA無線ネットワーク中のステーションの送信したフレーム時間情報レポートに基づいて、前記フレーム時間情報レポートの測定ウィンドウを確定するための第一確定ユニット；
前記フレーム時間情報レポート中の各フレームのタイミング情報と、予め記憶された、前記測定ウィンドウ内で受信したフレームのタイミング情報とを比較するための比較ユニット；及び
受信したフレームには前記フレーム時間情報レポート中のフレームと衝突するフレームが存在し、且つ、衝突率が第二閾値よりも大きい時に、衝突フレームを送信したステーションが前記ステーションに対しての隠れ端末であると確定するための第二確定ユニットを含む、装置。
【０１０７】
（付記10）
付記9に記載の装置であって、
前記第二確定ユニットは、
前記フレーム時間情報レポート中のフレームのタイミング情報、及び、予め記憶された、前記測定ウィンドウに対応するフレームのタイミング情報に基づいて、受信したフレームが前記フレーム時間情報レポート中のフレームと衝突するかを判断するための第一判断モジュール；
前記第一判断モジュールの判断結果が「はい」の時に、衝突率が第二閾値よりも大きいかを判断するための第二判断モジュール；及び
前記第二判断モジュールの判断結果が「はい」の時に、衝突フレームを送信したステーションが、前記フレーム時間情報レポートを送信したステーションに対しての隠れ端末であると確定するための確定モジュールを含む、装置。
【０１０８】
（付記11）
付記10に記載の装置であって、
前記第一判断モジュールは、
tj≦Ti≦tj+dj≦Ti+Di、且つ、tj+dj-Ti≧GT；又は
Ti≦tj≦Ti+Di≦tj+dj、且つ、Ti+Di-tj≧GT；又は
tj≦Ti≦Ti+Di≦tj+dj；又は
Ti≦tj≦tj+dj≦Ti+Di
の時に、受信した第i個目のフレームが、前記フレーム時間情報レポート中の第j個目のフレームと衝突すると判断し、
そのうち、tjは、前記フレーム時間情報レポート中の第j個目のフレームの送信時間であり、Tiは、受信した第i個目のフレームの送信時間であり、djは、前記フレーム時間情報レポート中の第j個目のフレームの持続時間であり、Diは、受信した第i個目のフレームの持続時間であり、GTは、予め設定された保護時間である、装置。
【０１０９】
（付記12）
付記10に記載の装置であって、
前記衝突率は、前記測定ウィンドウ内で同一ステーションの送信した衝突フレームの、前記フレーム時間情報レポート中のフレームの総数に対しての比率である、装置。
【０１１０】
（付記13）
付記9に記載の装置であって、更に、
同期タイミング情報を送信し、これにより、前記同期タイミング情報を受信したステーションが、前記同期タイミング情報に基づいて、前記アクセスポイントと測定ウィンドウの同期を行うための送信ユニットを含む、装置。
【０１１１】
（付記14）
付記13に記載の装置であって、
前記送信ユニットは、前記アクセスポイントが送信したビーコンフレームにより前記同期タイミング情報を送信し、又は、前記アクセスポイントが送信した他のシグナリングにより前記同期タイミング情報を送信する、装置。
【０１１２】
（付記15）
付記9に記載の装置であって、更に、
受信したフレームのタイミング情報を予め記憶するための記憶ユニットを含み、
前記タイミング情報は、前記フレームの送信時間（start  time）、持続時間、及び送信アドレスを含む、装置。
【０１１３】
（付記16）
付記9に記載の装置であって、更に、
前記アクセスポイントが、複数のステーションの、同じ測定ウィンドウにおけるフレーム時間情報レポートを受信した時に、これらのフレーム時間情報レポート中の各フレームのタイミング情報を、予め記憶された、前記測定ウィンドウに対応するフレームのタイミング情報に追加するための更新ユニットを含む、装置。
【０１１４】
（付記17）
CSMA／CA無線ネットワークシステムであって、
ステーション及びアクセスポイントを含み、
前記ステーションは、
測定ウィンドウ内で受信確認（acknowledgement）を受信していないフレームの比率を統計により取得し；及び
前記比率が予め設定された第一閾値よりも大きい時に、前記アクセスポイント（AP）にフレーム時間情報レポートを送信し、前記フレーム時間情報レポートは、前記測定ウィンドウの索引、及び、前記測定ウィンドウ内で送信したフレームのタイミング情報を含み、これにより、前記アクセスポイントは、前記タイミング情報に基づいて、前記ステーションに対しての隠れ端末が存在するかを確定するように構成され、
前記アクセスポイントは、
受信した前記ステーションの送信したフレーム時間情報レポートに基づいて、前記フレーム時間情報レポートの測定ウィンドウを確定し；
前記フレーム時間情報レポート中の各フレームのタイミング情報と、予め記憶された、前記測定ウィンドウ内で受信したフレームのタイミング情報とを比較し；及び
受信したフレームには前記フレーム時間情報レポート中のフレームと衝突するフレームが存在し、且つ、衝突率が第二閾値よりも大きい時に、衝突フレームを送信したステーションが前記ステーションに対しての隠れ端末であると確定するように構成される、システム。
【０１１５】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
0006707958.tif 000002
【図２】
0006707958.tif 000003
【図３】
0006707958.tif 000004
【図４】
0006707958.tif 000005
【図５】
0006707958.tif 000006
【図６】
0006707958.tif 000007
【図７】
0006707958.tif 000008
【図８】
0006707958.tif 000009
【図９】
0006707958.tif 000010
【図１０】
0006707958.tif 000011